(57)【要約】対向する、同一の、相互に噛み合う金具１a、１bでネジ止めされる、二つの建築部材２a、２bの結合のための、二つの板状の金具１a、１b。建築部材２a、２bの長さ方向のずらしによって、相互に、第１の支持用打ち抜き８で、固定用ネジ９により固定されるスペーサー７が、金具１bにおいて、横軸に沿って、閉じ、そして、第２の保持用打ち抜き１０によって、他の金具の一方１aを固定する、固定用ネジ１４の頭部１３を受け入れる。この結合は全方向の結合の弛緩が確実に防止される。
2004528498.tif 000002
【特許請求の範囲】
【請求項１】
二つの金具（１a、１b）からなる取付金具であって、二つの建築部材（２a、２b）を合理的形状に結合させ、その際、前記金具（１a、１b）の一方が、
−その都度、建築部材（２a、２b）の一方に固定され、かつ
−相互に噛み合う移動可能な要素を有し、この要素は建築部材（２a、２b）の継手結合をするものであって、金具（１a、１b）によって特徴づけられ、
−板状に形成され、
−奥まったところで、角度１８０度に屈曲し、かつ縦長のスリットのある、固定用孔（３a）を有する末端部分（３）を備え、
−縦長のスリット（４a）を有する、クランク状の末端部分（４）を備え、その際、各スリット末端に、ネジの頭部を受け入れる切り込み（３b、４b）を有し、
−末端部分（３、４）間に、少なくとも、更に一つの固定用孔（５）を備え、
−金具の一方（１b）の末端部分（３）の屈曲部の内部空間（６）において、以下にその特徴が示される、平板状のスペーサー（７）を配置し、
−スペーサー（７）を屈曲部の（内部）空間（６）に、固定用ネジ（９）により、保持するための、第１の支持用打ち抜き（８）、
−第２の支持用打ち抜き（１０）及び、
−第１の支持用打ち抜きと第２の支持用打ち抜きの間に設けられた、回転中心突部（１１）、を備え、
−スペーサー（７）が、金具の一方（１a）のクランク状の末端部分（４）を金具の他方（１b）の屈曲部の（内部）空間(６)に挿入する際、スペーサー（７）を矢印方向（１２）に傾斜させられるように、設計され、その際、第２の支持用打ち抜き（１０）が、金具の他の一方（１a）を固定する、固定孔（５）に収まっている、固定用ネジ（１４）の頭部（１３）を受け入れることを特徴とする。
【請求項２】
金具の末端部分（３、４）に、金具が相互に、対向して、噛み合う際に、結合を容易にする、同方向の傾斜が形成され、その際、傾斜（１５）が金具の一方の固定側に形成されることを特徴とする請求項１に記載の取付金具。
【請求項３】
スペーサー（７）が永久磁石製であることを特徴とする請求項１または２に記載の取付金具。
【発明の詳細な説明】
【技術分野】
【０００１】
本発明は、二つの建築部材を結合する取付金具、特に、建築業及び木造建築業において、家の建築の際に組込まれる取付金具に関する。取付金具はその他の建築部材の安全且つ能率的な結合にも使用することができる。この取付金具は、特に、簡単な構造なので、各種サイズのものが容易に、安価に製造できる。
【背景技術】
【０００２】
取付金具は、結合する建築部材の一方に固定され、組み合わせの際、建築部材を結合させるところの、相互に噛み合う移動可能な、構成物を備えた、二つの、金属性の金具からなる。この種の取付金具は、例えば、米国特許５，２８４，３１１号明細書からも十分に知られるように、専門家にも周知なので、ここでは詳しく述べない。
【０００３】
特殊な用途の場合、結合では、例えば、継ぎ目が動くことによる結合の弛緩が起こらないように、結合の保護が可能なことが要求される。典型的な用途は、梁の荷重に、相互に充分に耐え得るように結合されることが必要な、台風や地震の危険に曝される地域での建物の建築に対してである。結合箇所は、従来の建物では、差し迫って必要としないような特性を示す。それで、結合箇所は、例えば、ハリケーン（旋回流台風）が屋根に及ぼすような強力な力に対抗する、力を受け入れねばならない。更に、前記の用途では、結合箇所が所定の弾性を示すという特に重要な特性を示す。
【０００４】
従来技術の結合構造は、多かれ、少なかれ、好適なものであった。特別な荷重を受け入れるために、その際、堅固で、安全な、嵌合構造がしばしば、動きにくく、高価なものであった。従来の結合構造の特別な問題点は、追加の作業ステップとしての嵌合を行なうことである。
【発明を実施するための最良の形態】
【０００５】
上記した従来技術の問題点を考慮した結果、本発明の課題は、建築部材の結合において、結合に特別な荷重が掛かる場合の、高い安全性機能を有し、自動的嵌合を保証する、結合構造を創出することである。更に、結合構造は簡単で、強靭で、安価なものが製造可能でなければならぬ。これらの課題は特許請求の範囲１に記載の取付金具によって解決される。
【０００６】
本発明においては、二つの建築部材の結合のための取付金具が創出される。この取付金具は、対になっている二つの金具からなり、その一方は結合される建築部材の一方に固定され、相互に噛み合う移動可能な要素を備え、繋ぎ目に対しても、建築部材の結合が緩まぬように働く。金具は板状に形成される。
対向する末端部分はスリットを備える。一方の末端部分は角度１８０度に屈曲し、他方の末端部分はクランク状に曲げられている。
スリットの末端、即ち、板体の中央に延びる、打ち抜きを有し、例えば、ネジの頭部を受け入れる傾斜が備えられている。
角度１８０度に屈曲した末端部分には打ち抜きに対向して位置する断片部分に固定用の孔がある。
金具の末端部分に少なくとも、もう一つの、固定用孔が予定されている。両方の金具は結合される部材上に、ネジで固定される。その際、そこには、大きなテコによる力が発生するので、一つの固定用ネジの使用がスリット末端に予定される。これら使用するネジの数と大きさは専門家によって、適宜、決定される。
【０００７】
末端部分の屈曲空間には、金具の一方にのみ、板状のスペーサーが、配置されている。スペーサーは、スペーサーが屈曲空間に固定用ネジで固定されるように、第１の保持用打ち抜きを備えている。第１の保持用打ち抜きに対向する位置で、スペーサーの長さ方向に、第２の、もっと大きい保持用打ち抜きが予定されている。第１の保持用打ち抜きと第２の保持用打ち抜きの間に、回転中心突部が形成される。
スペーサー（７）は、金具の一方のクランク状の末端部分を金具の他方の屈曲空間に挿入する際、スペーサーが、横軸で傾けられ、その際、スペーサーの第２の保持用打ち抜きが、他の金具を固定する、固定用孔に配置されたネジの頭部を取り囲むように設計される。
【０００８】
本発明の取付金具は製造及び取付が容易である。この取付金具は基本的に使用される固定用材から比較的大きな力を受け入れて耐えることができる。特に、継ぎ目の動きの間に、傾斜するスペーサーによって、嵌合作用が自動的に行なわれる。
【０００９】
請求項２によれば、金具の脚部末端に、一方の金具に対して、同方向に、相互に、食い込むことで、相互の繋ぎを容易にするような傾斜が施されている。その際、短い脚部は、金具の一方の屈曲部の内部空間ヘ傾斜している。
【００１０】
請求項３によれば、スペーサーは永久磁石製である。これによって、繋ぎが、機能的に好適な取り付け位置で実施できる。
【００１１】
本発明は、添付の図面により説明される、特に有益な仕上がり関して、以下のの記述でより詳細に説明される。
図１は金具を示す。図２はスペーサーを示す。図３はスペーサーの配置を示す。図４Ａ、４Ｂ、４Ｃは結合手段の機能原理を示す。図５は金具の一方の使用の実施例を示す。
【実施例】
【００１２】
図１は、二つの同一形状の、金属製の板状の金具１a、１bの一方であって、二つの建築部材２a、２b（図４に図示）の、合理的な形状の、緩まぬ、結合を示す。
金具の一方は、二つの脚部を通っている固定用孔を有する角度１８０度に屈曲した末端部分３を示す。
末端部分３に対向して、長さ方向のスリット４aを有し、傾斜面のあるクランク状の末端部分４が形成される。
金具は、末端部分３、４間で、固定用孔３aから離れた位置に、少なくとも一つの固定用孔５が備えられている。
金具の一方の屈曲した末端部分３は一つの屈曲内部空間６を形成する。
それぞれ一つの固定用ネジの頭部の受け入れのために、切りこみ３b及び４bが備えられてる。その頭部が、切りこみ３b及び４bによって受け入れられる、固定用ネジの軸が、スリットを有する作用結合において、各方向からの力に対して、著しく、安定した、構造となるよう作用する。
【００１３】
図２は、固定用ネジ９のための支持用打ち抜き８を有する板状のスペーサー７を示す（９は図３に図示）。支持用打ち抜き８の対向位置にスペーサー７の長さ方向の軸上に、より大きな第２の支持用打ち抜き１０が設けられている。
支持用打ち抜き８と１０の間に、固定用孔８に移動されるスペーサー７の横軸上に、回転中心突部１１が形成される。
この実施例で、回転中心突部１１は湾曲して形成される。専門家にとっては、回転中心突部が他の処置、例えば、素材の厚肉化によって形成され得ることがよく知られている。
【００１４】
図３は、固定用ネジ９を、スペーサー７の支持用打ち抜き８へ嵌めこむ際、金具１bの屈曲内部空間６内のスペーサー７の配置を示す。一方、もう一つの固定用ネジ１４は、これに続く固定作業で、金具１bの固定用孔５にネジの頭部１３まで嵌めこまれる。
【００１５】
図４Ａ、４Ｂ及び４Ｃは、結合手段の機能原理を示す。図４Ａに示されるように、金具１a、１bは、その都度、建築部材２a、２bに、固定用ネジ（１４、９）によって、固定される。金具１a、１b間を合理的な形状で結合するために、図４Ｂで示されるように、建築部材２a、２bは、相互に、長さ方向に、金具が対向して、相互に噛み合うまで、移動させられる。
一方の金具１aのクランク状の末端部分４の、他方の金具１bの屈曲（内部）空間６への、更なる挿入の際、スペーサー７と共に、スペーサーは矢印方向１２へ、回転中心突部１１で、横軸に沿って、パタンと倒れ、そして、第２の支持用打ち抜き１０（図２参照）で、一方の金具１aの固定のための固定用ネジ１４の頭部１３を受け入れる。この結合は結合完了状態として、図４Ｃに示され、全方向の結合の緩るみが確実に防止される。
【００１６】
図５は、他方の金具１bが、配置されているスペーサー７とともに、建築部材２bへの固定が完了された状態を示し、このとき、一方の金具１aは一方の建築部材2 aに、既に先に、固定されなければならぬ。これら建築部材の接続法は「ほぞ」に比較し得るもので、結合用材を視野から遮蔽することが保証されている。
【産業上の利用可能性】
【００１７】
本発明は、二つの建築部材を結合する取付金具、特に、建設業及び木造建築業において、家の建築の際に組込まれる取付金具に関する。
【図面の簡単な説明】
【００１８】
【図１】金具の一方を示す。
【図２】一つのスペーサーを示す。
【図３】スペーサーの配置を示す。
【図４Ａ】金具１a、１bが建築部材２a、２bに、固定用ネジ（１４、９）によって、固定される状態を示す。
【図４Ｂ】結合の際の、建築部材２a、２b、金具の１a、スペーサー７の間の位置関係を示す。
【図４Ｃ】結合の完了状態を示す。
【図５】金具の一方の使用の実施例を示す。
【図１】
2004528498.tif 000003
【図２】
2004528498.tif 000004
【図３】
2004528498.tif 000005
【図４Ａ】
2004528498.tif 000006
【図４Ｂ】
2004528498.tif 000007
【図４Ｃ】
2004528498.tif 000008
【図５】
2004528498.tif 000009
【国際公開パンフレット】
2004528498.tif 000010
2004528498.tif 000011
2004528498.tif 000012
2004528498.tif 000013
2004528498.tif 000014
2004528498.tif 000015
2004528498.tif 000016
2004528498.tif 000017
2004528498.tif 000018
2004528498.tif 000019
2004528498.tif 000020
2004528498.tif 000021
2004528498.tif 000022
【国際公開パンフレット（コレクトバージョン）】
2004528498.tif 000023
2004528498.tif 000024
【国際調査報告】
2004528498.tif 000025
2004528498.tif 000026
2004528498.tif 000027
2004528498.tif 000028